(57)【特許請求の範囲】
【請求項１】
商品２を横並びの列設状態にて載置せしめる棚板部(3a)と、商品の背部に臨む背板部(3b)とを備えた陳列棚において、棚板部(3a)から離間した上方位置で商品の側面を支持する支持板部(8)を備えた仕切板(7)の後板部(9)を前記背板部(3b)に設けたガイド手段(4)に着脱自在に装着して成る商品仕切装置であり、
前記ガイド手段(4)は、商品の列設方向に延びるスリット(22)を形成すると共に、該スリットの幅を部分的に拡大せしめた孔部(23)を形成し、スリットの背部に位置する上側及び下側の少なくとも一方にスリットと平行に延びる延長壁部(24)を設けると共に、スリットに向かう凹凸を形成する係止歯群(26)を該延長壁部(24)に沿って設けており、
前記仕切板(7)は、商品の側面に沿う支持板部(8)と、前記陳列棚の背板部(3b)に沿う後板部(9)とを備えた断面ほぼＴ字形に構成されており、仕切板(7)の後板部(9)は、スリットに挿通せしめられ且つ該スリットに沿って摺動自在とされる案内リブ(13)を設け、該案内リブの突出端にスリットの幅を越える幅広状とされた抜止部(14)を設けると共に、前記係止歯群(26)に臨む係止突起(15)を該抜止部(14)の周縁に突設しており、
係止突起(15)を含む抜止部(14)を前記孔部(23)に対して挿脱自在に挿入すると共に、案内リブ(13)をスリット(22)に挿通した状態で、仕切板(7)に外力を与えないときは、案内リブ(13)がスリット(22)と平行な姿勢とされ且つ係止突起(15)を係止歯群(26)に噛合せず、該案内リブ(13)をスリット(22)に沿って移動自在とするが、仕切板(7)に商品をもたれ掛けさせることにより案内リブ(13)をスリット(22)の内部で該スリット(22)に対して平行状態から非平行状態に偏位せしめたときは、係止突起(15)が係止歯群(26)に噛合することにより、案内リブ(13)がスリット(22)に沿って移動することを阻止するように構成して成ることを特徴とする陳列棚における商品仕切装置。
【請求項２】
ガイド手段(4)が陳列棚の背板部(3b)とは別体の部材により構成されており、ガイド手段を背板部に対して水平に取付ける固着手段(20)を備えて成ることを特徴とする請求項１に記載の陳列棚における商品仕切装置。
【請求項３】
仕切板(7)の支持板部(8)は、該支持板部の前縁(8a)に設けたヒンジ(10)を介して開閉自在とされたフラップ(11)を設けており、該フラップ(11)は、閉鎖位置において支持板部(8)の一側面とほぼ面一になるように格納され、開放位置において支持板部(8)にほぼ直交するように展開され、該直交姿勢を保持可能とする保持手段(12)を備えて成ることを特徴とする請求項１又は２に記載の陳列棚における商品仕切装置。
【発明の詳細な説明】
【０００１】
【発明の属する技術分野】
本発明は、ケース入りのビデオカセットや書籍のような商品を店舗において横並びの列設状態にて展示し陳列するための陳列棚に関し、特に、このような陳列棚における商品仕切装置に関する。
【０００２】
【従来の技術】
図１は、従来技術と本発明技術を結合した陳列棚を示しており、同図に基づいて、従来技術の部分を説明すると、陳列棚１は、商品２を横並びの列設状態にて載置せしめる棚板部３ａと、商品２の背部に臨む背板部３ｂとを備えており、商品２の側面を支持する仕切板５を前記背板部３ｂに着脱自在に装着している。尚、棚板部３ａと背板部３ｂは、相互に別体に構成される場合と、一体に構成される場合とがある。
【０００３】
背板部３ｂには、縦方向に延びるスロット６が長手方向（商品の列設方向）に等間隔をあけて多数形成されており、該スロット６を介して仕切板５を背板部３ｂに着脱自在に装着せしめる。即ち、仕切板５は、商品の側面に沿わしめられる板状本体５ａの上縁に連ねて後方に突出する舌片５ｂを備え、舌片５ｂの下縁に切込み状の係止溝５ｃを形成している。
【０００４】
舌片５ｂは、スロット６に対して挿脱自在であり、スロット６に挿入した後、下方移動せしめることにより係止溝５ｃをスロット６の下端縁に係止するので、これにより抜止状に固定される。この状態から、上方に持ち上げることにより係止溝５ｃの係止を解くと、舌片５ｂをスロット６から抜取ることができる。
【０００５】
【発明が解決しようとする課題】
従来技術によれば、仕切板５は、選択された任意のスロット６に装着することが可能であ。従って、棚板部の上に列設された商品群の端部に臨むスロット６を選択し、該スロット６に仕切板５を装着することにより、商品２の横倒れを防止できる。
【０００６】
然しながら、上述のようにスロット６は、所定の間隔で設けられているため、列設された商品群の端部に臨むスロット６に仕切板５を装着したからといって、必ずしも仕切板５が商品２の側面にピタリと沿うとは限らず、仕切板５と商品２の側面との間に隙間を生じる場合がある。そして、このような隙間が生じると、商品が棚板部の上で遊動してしまうという問題がある。
【０００７】
更に、ケース入りのビデオカセットや書籍のような商品は、販売促進のため、図１に示すピーアール商品２ａのように、正面向きの姿勢で棚板部３ａに載置することが望まれるが、従来の仕切板５は、このような正面向きの商品２ａを好適に支持する機能を有しないため、別途、専用の支持具を必要とするという問題もある。
【０００８】
【課題を解決するための手段】
本発明は、上記課題を解決した陳列棚における商品仕切装置を提供するものであり、その手段として構成したところは、商品を横並びの列設状態にて載置せしめる棚板部と、商品の背部に臨む背板部とを備えた陳列棚において、棚板部から離間した上方位置で商品の側面を支持する支持板部を備えた仕切板の後板部を前記背板部に設けたガイド手段に着脱自在に装着して成る商品仕切装置であり、前記ガイド手段は、商品の列設方向に延びるスリットを形成すると共に、該スリットの幅を部分的に拡大せしめた孔部を形成し、スリットの背部に位置する上側及び下側の少なくとも一方にスリットと平行に延びる延長壁部を設けると共に、スリットに向かう凹凸を形成する係止歯群を該延長壁部に沿って設けており、前記仕切板は、商品の側面に沿う支持板部と、前記陳列棚の背板部に沿う後板部とを備えた断面ほぼＴ字形に構成されており、仕切板の後板部は、スリットに挿通せしめられ且つ該スリットに沿って摺動自在とされる案内リブを設け、該案内リブの突出端にスリットの幅を越える幅広状とされた抜止部を設けると共に、前記係止歯群に臨む係止突起を該抜止部の周縁に突設しており、係止突起を含む抜止部を前記孔部に対して挿脱自在に挿入すると共に、案内リブをスリットに挿通した状態で、仕切板に外力を与えないときは、案内リブがスリットと平行な姿勢とされ且つ係止突起を係止歯群に噛合せず、該案内リブをスリットに沿って移動自在とするが、仕切板に商品をもたれ掛けさせることにより案内リブをスリットの内部で該スリットに対して平行状態から非平行状態に偏位せしめたときは、係止突起が係止歯群に噛合することにより、案内リブがスリットに沿って移動することを阻止するように構成して成る点にある。
【０００９】
本発明の好ましい実施形態によれば、ガイド手段は、陳列棚の背板部とは別体の部材により構成されており、ガイド手段を背板部に対して水平に取付ける固着手段を備えている。
【００１０】
仕切板の支持板部は、該支持板部の前縁に設けたヒンジを介して開閉自在とされたフラップを設けており、該フラップは、閉鎖位置において支持板部の一側面とほぼ面一になるように格納され、開放位置において支持板部にほぼ直交するように展開され、該直交姿勢を保持可能とする保持手段を備えている。
【００１１】
【発明の実施の形態】
以下図面に基づいて本発明の好ましい実施形態を詳述する。
【００１２】
図１に示すように、陳列棚１は、ケース入りのビデオカセット又はＣＤ或いはＤＶＤ等のディスクや、書籍等の商品２を横並びの列設状態にて載置せしめる棚板部３ａと、商品２の背部に臨む背板部３ｂとを備えている。この点は、従来技術について説明した上述の構成と同様である。
【００１３】
本発明において、陳列棚１の背板部３ｂにガイド手段４が設けられ、商品２の側面を支持する仕切板６を該ガイド手段４に装着せしめる構成とされている。
【００１４】
（仕切板の構成）
図１ないし図３に示すように、仕切板６は、棚板部３ａの上に横並び状に列設された商品２の側面に沿う支持板部８と、背板部３ｂに沿う後板部９を備えており、合成樹脂により断面ほぼＴ字形に一体成形されている。
【００１５】
図２に示すように、仕切板７の支持板部８は、前縁に設けた薄肉ヒンジ等のヒンジ１０を介して開閉自在とされたフラップ１１を設けており、該フラップ１１は、閉止位置（図２参照）において支持板部８の一側面とほぼ面一になるように格納され、開放位置（図８参照）において支持板部８にほぼ直交するように展開され、該直交姿勢を保持可能とする保持手段１２を備えている。
【００１６】
図３に示すように、仕切板７の後板部９は、後面に陳列棚１の背板部３ｂに対向する案内リブ１３を突設し、該案内突起リブの突出端に幅広板状の抜止部１４を形成しており、該抜止部１４の周縁の上面又は下面（図示実施形態では上面）から突出する係止突起１５を設けている。
【００１７】
案内リブ１３は、後板部９の後面から突出する横一文字状のリブにより構成されており、図例の場合、案内リブ１３の突出端の２個所に一対の抜止部１４、１４を設けているが、抜止部１４は、１個所にのみ設けても良い。また、図例の場合、抜止部１４の輪郭をほぼ円形ないし楕円形に形成しているが、その形状は問わない。尚、図３（Ｂ）に示すように、後板部９の後面と抜止部１４の間には、スリット２２の縁部を嵌合可能とする隙間Ｓが形成されている。即ち、隙間Ｓは、背板部３ｂの肉厚に相当する。
【００１８】
図示の実施形態において、一対の抜止部１４、１４は、案内リブ１３の両端近傍部に設けられ、従って、案内リブ１３は、抜止部１４、１４を越えて後板部９の両側縁に向けて延びる延長リブ部１３ａ、１３ａを備えている。これに対して、後板部９の両側縁には、延長リブ部１３ａ、１３ａに向けて切欠部１７、１７が形成されており、これにより仕切板７の正面側から（支持板部８の前方から）切欠部１７、１７を介して延長リブ部１３ａ、１３ａを視認可能となるように構成している。
【００１９】
また、抜止部１４の輪郭をほぼ円形又はほぼ楕円形に形成した図例の場合、抜止部１４は、案内リブ１３の突出端面とほぼ面一に位置する小径部１４ａと、前記隙間Ｓに臨む大径部１４ｂと、小径部１４ａと大径部１４ｂの間におけるテーパ部１４ｃを備えたほぼ裁頭円錐形に形成されており、係止突起１５は、小径部１４ａから大径部１４ｂに至る抜止部１４の全肉厚にわたり形成されている。
【００２０】
（ガイド手段の構成）
本発明において、ガイド手段４は、陳列棚１の背板部３ｂと一体に形成しても良いが、図示実施形態の場合、別体に形成しており、図４に示すように、中空状に形成された横長のハウジング１８に前面板部１９を備えた構成のものとして合成樹脂により一体成形されており、背板部３ｂに対して水平に取付け可能な固着手段２０を設けている。陳列棚１の背板部３ｂは、板金製とされ、図１に示すように、上縁部を背部側に折返状に折曲された水平頂部３ｃを形成しており、従って、ガイド手段４は、前面板部１９の背面を背板部３ｂの前面に沿わしめられると共に、ハウジング１８の下面を水平頂部３ｃに沿わしめられた状態で、固着手段２０により固着される。図例の場合、固着手段２０は、離型シートにより被覆された両面接着テープから構成され、図４（Ｂ）に示すように前面板部１９の背面に設けられる他、ハウジング１８の下面にも設けられているが、前面板部１９の背面とハウジング１８の下面との少なくとも一方に設ければ良い。
【００２１】
ガイド手段４は、所定の長さに形成されており、図１に示すように、陳列棚１が長尺である場合は、複数本のガイド手段４、４を相互に接合状態で継ぎ合わせることにより直線状に連設される。
【００２２】
ガイド手段４の前面板部１９には、ハウジング１８に臨む位置において、横向きの長手方向（商品２の列設方向）に延びるスリット２２が形成されており、該スリット２２は、部分的にスリット幅を拡大せしめた孔部２３を形成している。スリット２２と孔部２３の関係は、仕切板７における係止突起１５を含む抜止部１４が孔部２３に対して通過自在とされるが、該抜止部１４がスリット２２に対しては通過不能とされるような関係にある。
【００２３】
即ち、図７（Ａ）に示すように、スリット２２の上下幅をＳＷ１、孔部２３の上下幅をＳＷ２とし、案内リブ１３の上下幅をＧＷ１、係止突起１５を含む抜止部１４の上下幅をＧＷ２としたとき、ＳＷ１＜ＳＷ２、ＧＷ１＜ＧＷ２の関係の下において、ＧＷ１＜ＳＷ１、ＧＷ２＜ＳＷ２とされているので、案内リブ１３及び係止突起１５付きの抜止部１４をスリット２２及び孔部２３に対して挿脱自在に挿通せしめることができる。
【００２４】
ガイド手段４は、図５及び図７（Ａ）に示すように、スリット２２の背部に位置する上側及び下側に該スリット２２と平行に延びる延長壁部２４、２５を形成しており、図示実施形態の場合、上側の延長壁部２４に沿って、スリット２２に向かう凹凸を形成する係止歯群２６を設けている。図例の場合、延長壁部２４、２５は、ハウジング１８の上下壁により構成されているが、スリット２２を挟んで上下に分割された前面板部１９により構成しても良く、その場合、前面板部１９の背面に係止歯群２６を設けることができる。また、図示実施形態は、抜止部１４の上側に突設した係止突起１５に対応して、上側の延長壁部２４に係止歯群２６を設けた構成としているが、係止突起１５を抜止部１４の下側に突設すると共に、下側の延長壁部２５に係止歯群２６を設けるように構成しても良い。
【００２５】
図６にはガイド手段４の一方の端面だけを示しているが、ガイド手段４の両端面において、前面板部１９の端縁には、スリット２２の一部を含んで切欠部２７が形成されており、該切欠部２７に連通するスリット２２の開口部に臨む爪片２８がハウジング１８から折損自在に突設されている。従って、後述するように、仕切板７は、案内リブ１３及び抜止部１４を介してガイド手段４のスリット２２に沿って摺動自在であるが、仕切板７がガイド手段４の端部に到達すると、案内リブ１３の延長リブ部１３ａが爪片２８に当接し、爪片２８がストッパーとして機能するので、案内リブ１３がスリット２２から抜け出ることにより仕切板７がガイド手段４から脱落することを防止する。
【００２６】
この点に関して、上述のように複数本のガイド手段４、４を連設せしめた取付状態において、連設されたガイド手段４、４のスリット２２、２２に対して仕切板７を相互に乗り入れ自在となるように摺動せしめる必要があるときは、爪片２８を折損除去すれば良い。爪片２８は、例えば、ドライバー工具等の治具により簡単に折損せしめることができる。爪片２８が折損除去すると、連設されたガイド手段４、４のスリット２２、２２は、切欠部２７を介して相互に連通されるので、隣接するスリット２２、２２の相互間にわたり仕切板７を摺動することが可能となる。
【００２７】
（仕切板とガイド手段の関係）
前述のように、案内リブ１３により形成された隙間Ｓは、背板部３ｂの肉厚に相当せしめられ、該隙間Ｓにスリット２２の縁部を嵌合自在としているので、図７（Ａ）の左側に示すように、案内リブ１３及び抜止部１４をスリット２２及び孔部２３に挿通せしめた後、図７（Ａ）の右側に示すように、案内リブ１３をスリット１５に沿って自由に移動せしめることができる。尚、抜止部１４は、小径部１４ａに向かうテーパ部１４ｃを形成しているので孔部２３に挿入し易く、しかも、案内リブ１３と抜止部１４、１４をスリット２２及び孔部２３に対して挿入するに際しては、仕切板７の正面側から切欠部１７を介して延長リブ部１３ａを視認することができるので、目視しながら案内リブ１３及び抜止部１４、１４をスリット２２及び孔部２３に位置決めすることが容易である。そして、挿入状態において、スリット２２の幅ＳＷ１に対して、案内リブ１３の幅ＧＷ１をＳＷ１＞ＧＷ１となるように構成することによりクリアランスが形成されている。そこで、抜止部１４の幅ＧＷ２とスリット２２の幅ＳＷ１がＧＷ２＞ＳＷ１に形成されているので、図７（Ａ）の右側に示すように抜止部１４を孔部２３から外れた位置に移動せしめると、該抜止部１４により案内リブ１３の抜止めが果たされる。ところで、図７（Ａ）は、理解を容易ならしめるため、便宜上、案内リブ１３をスリット２２の幅方向中心に位置せしめた状態を図示しているが、実際には、仕切板７の自重により案内リブ１３の下面がスリット２２の下壁面２２ｂに接した状態で摺動する。従って、スリット２２の上壁面２２ａの上方に位置する係止突起１５と係止歯群２６は、相互に噛合することなく離れた状態にあり、前述のような摺動による移動を好適に行わしめる。
【００２８】
仕切板７をスリット２２に沿って移動せしめ、支持板部８により商品２の側面を支持せしめた状態において、前記クリアランスを介して、商品２のもたれかけ等により支持板部８に作用する外力により、案内リブ１３には、モーメントが生じる。従って、このようなモーメントにより、案内リブ１３は、前記クリアランスを介して回動せしめられ、上昇方向に回動された抜止部１４の係止突起１５を係止歯群２６に係止する。
【００２９】
即ち、図４（Ｂ）に示すように、支持板部８が反時計針方向Ｆ１の外力を受けたときは、スリット２２の内部におけるクリアランスを介して、案内リブ１３が同方向に回動せしめられ、一方（図示右側）の抜止部１４を上昇せしめるので、該抜止部１４の係止突起１３が係止歯群２６に係止する。反対に、図４（Ｃ）に示すように、支持部８が時計針方向Ｆ２の外力を受けたときは、案内リブ１３が同方向に回動せしめられ、他方（図示左側）の抜止部１４を上昇せしめるので、該抜止部１４の係止突起１３が係止歯群２６に係止する。これにより案内リブ１３がスリット２２に沿って自由に移動することを阻止する。このため、案内リブ１３は、スリット２２の内部で停止状態を保持せしめられ、仕切板７の支持板部８を商品２の側面から離間せしめるようなことはない。尚、商品２のもたれかけ等による外力から解放すると、案内リブ１３はスリット２２と平行な姿勢に戻るので、クリアランスを介してスリット２２に沿って円滑に摺動せしめることができる。
【００３０】
（仕切板の多目的機能）
仕切板７は、商品２の仕切機能の他、図１に示すように、正面向きの姿勢で棚板部３ａに載置されたピーアール商品２ａを仕切板７により背部から好適に支持する機能を兼備している。
【００３１】
仕切板７によりピーアール商品２ａの背部を支持せしめる場合、開放されたフラップ１１が支持板部８に対してほぼ直交するように展開せしめられ、該フラップ１１のほぼ全面によりピーアール商品２ａの背面を支持することができる。
【００３２】
図８に示すように、支持板部８の前縁８ａは、ピーアール商品２ａの起立後傾角度を規定するように、棚板部３ａの上面とほぼ平行な下縁８ｂに対して、角度θ（θ＜９０度）で傾斜せしめられており、該前縁８ａに沿ってヒンジ１０を設けることにより、展開されたフラップ１１が角度θにより規定された面に沿うように構成している。
【００３３】
フラップ１１は、ヒンジ１０を介して同行回動せしめられる補助片部２９を一体に備えており、該補助片部２９に折曲ヒンジ３０を介して折曲自在な保持手段１２を延設している。保持手段１２を展開した状態で、フラップ１１並びに補助片部２９及び保持手段１２は、同一平面を構成する板状に形成されると共に、ヒンジ１０を介して支持板部８の側面に向けて閉鎖せしめたとき、ほぼ面一に格納せしめるための凹部３１が支持板部８の側面に凹設されている。
【００３４】
フラップ１１の先端縁１１ａ（ヒンジ１０の反対側に位置する端縁）には、一対の係止爪３２、３２が設けられており、図９（Ａ）に示すように、支持板部８には、該係止爪３２、３２を着脱自在に係止せしめる保持爪３３、３３が設けられている。従って、フラップ１１を凹部３１に押し込むと、係止爪３２が保持爪３３にスナップ形式で嵌着される。
【００３５】
一対の保持爪３３、３３の間に位置する部分と、保持手段１２に覆われる部分には、それぞれ指入れ孔３４ａ、３４ｂが支持板部８に貫通して形成されており、指入れ孔３４ａは、図９（Ｂ）に示すように、フラップ１１を凹部３１に格納した状態で、先端縁１１ａが指入れ孔３４ａの少なくとも一部分を被うように構成している。従って、ユーザが指入れ孔３４ａ、３４ｂに指先等を挿入することによりフラップ１１を押すと、前述のように嵌着された係止爪３２と保持爪３３の係止が解除され、ヒンジ１０を介してフラップ１１を開放せしめることができる。
【００３６】
補助片部２９には、貫通する窓孔３５が開設されると共に、窓孔３５の縁部に臨んで突出する係止爪３６を形成せしめており、図９（Ｃ）に示すように、支持板部８には、該係止爪３６を着脱自在に係止せしめる保持爪３７が凹部３１から隆起するように形成されている。従って、補助片部２９を凹部３１に押し込むと、窓孔３５が隆起した保持爪３７を受け入れると共に、係止爪３６が保持爪３７にスナップ形式で嵌着される。
【００３７】
補助片部２９から同一板状に延設された保持手段１２は、折曲ヒンジ３０により山折方向にのみ回動自在であり、従って、谷折方向には回動しないので、補助片部２９と共に凹部３１に格納され保持される。保持手段１２の先端縁には、断面ほぼＬ形の係止爪３８が設けられている。そこで、図９（Ｄ）に示すように、ヒンジ１０を介して、フラップ１１と共に補助片部２９を支持板部８に直交する開放位置まで回動し展開せしめた状態で、保持手段１２を折曲ヒンジ３０により山折方向に回動せしめると、係止爪３８が保持爪３７に係止せしめられ、保持手段１２の展開方向の回動を阻止する。従って、これにより、フラップ１１及び補助片部２９は、支持板部８に直交する開放姿勢のまま保持される。
【００３８】
【発明の効果】
請求項１に記載の本発明によれば、仕切板７における抜止部１４と、背板部３ｂに設けたガイド手段４におけるスリット２２の孔部２３により、仕切板７をガイド手段４に対して着脱自在に装着することができ、しかも、仕切板７の案内リブ１３をスリット２２に沿って自由に移動せしめ、無段階の位置で停止せしめることができるので、常に仕切板７の支持板部８を商品２の側面にピタリと沿わしめることが可能になるという効果がある。
【００３９】
そして、スリット２２の背部に位置する上側及び下側の少なくとも一方に形成した延長壁部２４にスリット２２に向かう凹凸を形成する係止歯群２６を設け、仕切板７の抜止部１４に係止歯群２６に向けて臨む係止突起１５を設けた構成であるから、仕切板７が商品２からの外力等を受けることにより発生するモーメントを介して、案内リブ１３がスリット２２に対して平行状態から非平行状態に偏位せしめられたとき、係止突起１５を係止歯群２６に噛合せしめ、これにより案内リブ１３がスリット２２に沿って自由に移動することを阻止するので、その結果、仕切板７の支持板部８が商品２の側面から離間されることはなく、商品２の側面を好適に支持するという効果を奏する。この際、係止歯群２６は、スリット２２の長手方向に向けて、隣接する係止歯の間隔を密とした状態で連続的に列設しておけば、案内リブ１３をスリット２２に沿って移動せしめた任意の位置において、ほとんど無段階に係止突起１５を係止歯群２６に噛合せしめることができるという利点がある。
【００４０】
また、請求項２に記載の本発明によれば、ガイド手段４を陳列棚１の背板部３ｂと別の別体部材により構成し、ガイド手段４を背板部３ｂに対して水平に取付ける固着手段２０を備えた構成であるから、板金製とされた従来の陳列棚１や店舗に既設されている陳列棚１における背板部３ｂに対して、ガイド手段４を後付けにより取付けることにより、本発明を容易に実施することができるという効果がある。
【００４１】
更に、請求項３に記載の本発明によれば、フラップ１１を開放することにより支持板部８にほぼ直交するように展開せしめ、該直交姿勢を保持手段１２により保持できる構成であるから、仕切板７は、横並び状に列設される商品２を仕切るという機能の他に、正面向きの姿勢で展示されるピーアール商品２ａを背面から支持するという機能を兼備し、同一構成とした仕切板７により必要に応じて二つの機能を使い分けることができるという効果がある。
【図面の簡単な説明】
【図１】本発明の１実施形態に係る陳列棚と仕切板を示す斜視図である。
【図２】本発明の１実施形態に係る仕切板を示しており、フラップを格納した状態を正面側から示す斜視図である。
【図３】本発明の１実施形態に係る仕切板を示しており、（Ａ）フラップを格納した状態を背面側から示す斜視図、（Ｂ）は案内リブと抜止部を部分的に示す拡大斜視図である。
【図４】本発明の１実施形態に係る仕切板とガイド手段を示しており、（Ａ）は正面側から示す斜視図、（Ｂ）は背面側から示す斜視図である。
【図５】本発明の１実施形態に係る仕切板の係止突起付き抜止部とガイド手段の係止歯群を一部破断して示す斜視図である。
【図６】本発明の１実施形態に係る仕切板の案内リブとガイド手段の爪片を一部破断して示す斜視図である。
【図７】本発明の１実施形態に係る仕切板の作用を示しており、（Ａ）は抜止部及び案内リブを孔部及びスリットに挿入した状態と、案内リブをスリットに沿って移動せしめた状態を、それぞれ示す断面図、（Ｂ）は案内リブに反時計針方向のモーメントが作用したときの状態を示す断面図、（Ｃ）は案内リブに時計針方向のモーメントが作用したときの状態を示す断面図である。
【図８】本発明の１実施形態に係る仕切板を示しており、フラップを開放した状態を正面側から示す斜視図である。
【図９】本発明の１実施形態に係る仕切板の各断面を示しており、（Ａ）は図２のＡ−Ａ線断面図、（Ｂ）は図２のＢ−Ｂ線断面図、（Ｃ）は図２のＣ−Ｃ線断面図、（Ｄ）は保持手段の作用を示す断面図である。
【符号の説明】
１    陳列棚
２    商品
２ａ  ピーアール商品
３ａ  棚板部
３ｂ  背板部
４    ガイド手段
７    仕切板
８    支持板部
９    後板部
１０    ヒンジ
１１    フラップ
１２    保持手段
１３    案内リブ
１３ａ  延長リブ部
１４    抜止部
１５    係止突起
１７    切欠部
１８    ハウジング
１９    前面板部
２０    固着手段
２２    スリット
２３    孔部
２４、２５  延長壁部
２６    係止歯群
２７    切欠部
２８    爪片
【図１】
0003626148.tif 000002
【図２】
0003626148.tif 000003
【図３】
0003626148.tif 000004
【図４】
0003626148.tif 000005
【図５】
0003626148.tif 000006
【図６】
0003626148.tif 000007
【図７】
0003626148.tif 000008
【図８】
0003626148.tif 000009
【図９】
0003626148.tif 000010